(57)【要約】【課題】ホールポスト本体全体のスッキリ感を維持して見た目の感じを向上させ、使用する金属線材を短くして材料コストの削減を図るグランドゴルフ競技用のホールポストを提供する。【解決手段】ベースリング１４と、複数の連結フレーム１５と、上部リング１６と、円形支持板１７とでグランドゴルフ競技用のホールポスト本体１１が形成され、前記連結フレーム１５が、上部水平片１５ａと、この水平片１５ａの外端から屈曲する下向き片１５ｂとからなるように金属線材を下向きの略Ｌ字形に折り曲げて形成され、この下向き片１５ｂの下端をベースリング１４の上面に突き合わせ溶接することにより、ベースリング１４に連結フレーム１５を固定した。【選択図】図１
0003151067.tif 000002
【実用新案登録請求の範囲】
【請求項１】
上端面に旗取付け用のポールを起立状態に取付けるホールポスト本体が、金属線材を用いて円形に形成したベースリングと、同じく金属線材を用い、このベースリングの上に周方向へ等間隔で放射状の配置となるよう設けた複数の連結フレームと、前記金属線材を用いてベースリングよりも小径となる円形に形成され、連結フレームの上面にベースリングと同軸心状の配置で固定された上部リングと、前記連結フレーム群の上面中央位置にベースリングと同軸心状の配置で固定した円形支持板とで形成されたグランドゴルフ競技用のホールポストにおいて、
前記ホールポスト本体の連結フレームが、上部水平片と、この水平片の外端から屈曲する下向き片とからなるように金属線材を下向きの略Ｌ字形に折り曲げて形成され、前記下向き片の下端をベースリングの上面に突き合わせ溶接することにより、ベースリングに連結フレームを固定したことを特徴とするグランドゴルフ競技用のホールポスト。
【請求項２】
上記上部リングと円形支持板は、連結フレームの上部水平片上に重なるように配置され、この上部水平片と上部リング及び円形支持板の重なり部分を溶接することにより固定化したことを特徴とする請求項１に記載のグランドゴルフ競技用のホールポスト。
【考案の詳細な説明】
【技術分野】
【０００１】
この考案は、グランドゴルフ競技用のホールポスト、更に詳しくは、金属線材を用いて形成したホールポスト本体の外観向上と使用線材の削減を図るようにしたホールポストに関する。
【背景技術】
【０００２】
グランドゴルフは、所定のボールを決められた位置から打ち始め、ボールがホールポストに入って静止したとまりの状態までの打数を競うものであり、場所を選ばず、準備やルールが簡単で人数制限や時間制限がなく、高度な技術が必要ないため、いつでも、どこでも、だれでもできるスポーツであり、近年愛好者の数が増大している。
【０００３】
グランドゴルフを行うには、クラブやボール、スタートマット等と共に、ボールを打ち込むためとホール番号を表示するためのホールポストが必要になる。
【０００４】
このホールポストは、地面に設置するホールポスト本体と、このホールポスト本体の上部中央に起立状となるよう取付けるポールとの組み合わせからなり、上下に長いポールの上部にホール番号を表示するための旗が取付けられた構造になっている。
【０００５】
ホールポスト本体１は、図４に示すように、金属線材を用いて円形に形成したベースリング２と、同じく金属線材を用い、このベースリング２の上に周方向へ等間隔で放射状の配置となるよう設けた複数の連結フレーム３と、金属線材を用いてベースリング２よりも小径となる円形に形成され、連結フレーム３の上面にベースリング２と同軸心状の配置で固定された上部リング４と、前記連結フレーム３群の上面中央位置にベースリング２と同軸心状の配置で固定した円形支持板５とからなり、この円形支持板５の中央ねじ孔に下面からねじ込んだボルトのねじ軸６を利用して、円形支持板５の上面にポール７を固定すると共に、円形支持板５の下面側に鈴８を吊り下げるようになっている。
【０００６】
図４は、従来のホールポスト本体１において、ベースリング２と連結フレーム３及び連結フレーム３に対する上部リング４と円形支持板５の組み立て構造を示している。
【０００７】
上記ベースリング２と上部リング４はそれぞれ円形にした金属線材の両端を突き合わせて溶接することにより円形に形成し、前記連結フレーム３は、上部水平片３ａと、この水平片３ａの外端から屈曲する下向き片３ｂとからなるように金属線材を下向きの略Ｌ字形に折り曲げ、前記下向き片３ｂの下端に取り付け片３ｃをベースリング２の周方向に沿うように折り曲げて形成されている。
【０００８】
上記連結フレーム３は、ベースリング２の上に三本の連結フレーム３を、周方向に等間隔でその上部水平片３ａがベースリング２の中心線に向かうように配置し、下端の取り付け片３ｃをベースリング２の上面に重ね、この重なり部分を溶接することで、ベースリング２に三本の連結フレーム３を固定し、更に、この連結フレーム３の上部水平片３ａ上に、上部リング４と円形支持板５をベースリング２と同軸心状の配置で重ね、それぞれの重なり部分を溶接することで固定化するようにしている。
【考案の概要】
【考案が解決しようとする課題】
【０００９】
ところで、上記した従来のように、ベースリング２と連結フレーム３の固定において、連結フレーム３の下端に設けた取り付け片３ｃをベースリング２の上面に重ね、その重なり部分を溶接した構造であると、ベースリング２は、各連結フレーム３の結合部分において金属線材が部分的に二本重ねとなり、外観的にこの部分が目に付きやすく、ホールポスト本体１全体のスッキリ感がなくなり、見た目の感じが悪くなるという問題がある。
【００１０】
また、連結フレーム３の下端に取り付け片３ｃを設けることは、連結フレーム３の形成に使用する金属線材が取り付け片３ｃの分だけ長くなり、材料コストが高くつくことになる。
【００１１】
そこで、この考案の課題は、ベースリングに対して連結フレームの端部を付き合わせ溶接により固定することにより、ホールポスト本体全体のスッキリ感を維持して見た目の感じを向上させると同時に、使用する金属線材を短くして材料コストの削減を図ることができるグランドゴルフ競技用のホールポストを提供することにある。
【課題を解決するための手段】
【００１２】
上記の課題を解決するため、この考案は、上端面に旗取付け用のポールを起立状態に取付けるホールポスト本体が、金属線材を用いて円形に形成したベースリングと、同じく金属線材を用い、このベースリングの上に周方向へ等間隔で放射状の配置となるよう設けた複数の連結フレームと、前記金属線材を用いてベースリングよりも小径となる円形に形成され、連結フレームの上面にベースリングと同軸心状の配置で固定された上部リングと、前記連結フレーム群の上面中央位置にベースリングと同軸心状の配置で固定した円形支持板とで形成されたグランドゴルフ競技用のホールポストにおいて、前記ホールポスト本体の連結フレームが、上部水平片と、この水平片の外端から屈曲する下向き片とからなるように金属線材を下向きの略Ｌ字形に折り曲げて形成され、前記下向き片の下端をベースリングの上面に突き合わせ溶接することにより、ベースリングに連結フレームを固定したものである。
【００１３】
上記上部リングと円形支持板は、連結フレームの上部水平片上に重なるように配置され、この上部水平片と上部リング及び円形支持板の重なり部分を溶接することにより固定化した構造にすることができる。
【００１４】
ここで、上記円形支持板は、中心部にねじ孔が設けられ、このねじ孔に円形支持板の下面側から段付のボルトのねじ軸がねじ込まれ、円形支持板の下部に前記ボルトの頭部を利用して円筒状の鈴が揺動可能に吊下げられ、円形支持板の上面にボルトのねじ軸を利用して旗取付け用のポールが起立状態に取付けられるようになっている。
【考案の効果】
【００１５】
この考案によると、ホールポスト本体の連結フレームを、上部水平片と、この水平片の外端から屈曲する下向き片とからなるように金属線材を下向きの略Ｌ字形に折り曲げて形成し、前記下向き片の下端をベースリングの上面に突き合わせ溶接することにより、ベースリングに連結フレームを固定したので、ベースリングの全周が一本の金属線材で形成され、ホールポスト本体全体のスッキリ感を維持して見た目の感じを向上させることができることになる。
【００１６】
また、連結フレームにおける下向き片の下端をベースリングの上面に突き合わせ溶接することにより、連結フレームの形成に用いる金属線材の短尺化が可能になり、材料コストの削減を図ることができる。
【図面の簡単な説明】
【００１７】
【図１】この考案に係るホールポストのホールポスト本体を示す斜視図
【図２】この考案に係るホールポストのホールポスト本体を示す拡大した縦断正面図
【図３】ホールポスト本体への鈴の取付け構造とその動作を示す拡大した縦断正面図
【図４】従来のホールポストのホールポスト本体を示す斜視図
【考案を実施するための形態】
【００１８】
以下、この考案の実施の形態を図示例に基づいて説明する。
【００１９】
図１乃至図３のように、この考案に係るグランドゴルフのホールポストは、ホールポスト本体１１の上端面にポール１２を着脱可能で起立状態に取付け、このポール１２の上端部にホールの番号を表記した旗を取付けると共に、ホールポスト本体１１の内側中央位置に鈴１３を吊下げた構造になっている。
【００２０】
上記ホールポスト本体１１は、金属線材を用いて所定直径の円形に形成したベースリング１４と、同じく金属線材を用い、このベースリング１４の上に周方向へ等間隔で放射状の配置となるよう設けた三本の連結フレーム１５と、金属線材を用いてベースリング１４よりも小径となる円形に形成され、連結フレーム１５の上面にベースリング１４と同軸心状の配置で固定された上部リング１６と、前記上部リング１６よりも小径となり、連結フレーム１５群の上面中央位置にベースリング１４と同軸心状の配置で固定した円形支持板１７とで構成されている。
【００２１】
上記ベースリング１４と上部リング１６は、金属線材を円形に曲げ加工し、付き合わせた両端を溶接することにより形成され、また、上記連結フレーム１５は、上部水平片１５ａと、この上部水平片１５ａの外端から屈曲する下向き片１５ｂとからなるように金属線材を下向きの略Ｌ字形に折り曲げて形成されている。
【００２２】
この連結フレーム１５のベースリング１４に対する固定は、ベースリング１４の上に三本の連結フレーム１５を、周方向に等間隔でその上部水平片１５ａがベースリング１４の中心線に向かうように配置し、下向き片１５ｂの下端をベースリング１４の上面に突合せ、この突合せ部分ａを溶接することで固定している。
【００２３】
また、上記各連結フレーム１５の水平片１５ａ上に、上部リング１６と円形支持板１７をベースリング１４と同軸心状の配置で重ね、それぞれの重なり部分を溶接することで、各連結フレーム１５と上部リング１６及び円形支持板１７を固定化するようにしている。
【００２４】
上記円形支持板１７には、中心部にねじ孔１８が上下に貫通するよう設けられ、このねじ孔１８に円形支持板１７の下面側から軸部を段付としたボルト１９のねじ軸２０がねじ込まれ、円形支持板１７の下部に前記ボルト１９の頭部２１を利用して金属製の円筒状に形成された鈴１３が揺動可能に吊下げられ、円形支持板１７の上面にボルト１９のねじ軸２０を利用して旗取付け用のポール１２が起立状態に取付けられるようになっている。
【００２５】
この考案のグランドゴルフのホールポストは、上記のような構成であり、ホールポストを使用しない時は、ホールポスト本体１１のねじ軸２０からポール１２を取外しておけばよく、ホールポスト本体１１とポール１２を分離することで持ち運びや格納に便利である。
【００２６】
また、ホールポストを使用する場合は、ホールポスト本体１１の上面に突出するねじ軸２０にポール１２をねじ込み、このポール１２をホールポスト本体１１の上面に直立状に起立させて組み立て、このホールポストをコースの所定の位置に配置することにより、グランドゴルフを行うものであり、ボールがベースリング１４内に転入して鈴１３に衝突すると、図３のように鈴１３は揺動してボルト１９との間で金属音を発生し、ホールインを知らせることになる。
【００２７】
上記ホールポスト本体１１は、その使用時に地面の上に接するように配置され、常にプレーヤーがこれを注視してプレーを行うものであるので、ホールポスト本体１１全体のスッキリ感を維持して見た目の感じを向上させることは、気持ちよくプレーを楽しむことにつながることになる。
【符号の説明】
【００２８】
１１        ホールポスト本体
１２        ポール
１３        鈴
１４        ベースリング
１５        連結フレーム
１５ａ      上部水平片
１５ｂ      下向き片
１６        上部リング
１７        円形支持板
１８        ねじ孔
１９        ボルト
２０        ねじ軸
２１        頭部
【図１】
0003151067.tif 000003
【図２】
0003151067.tif 000004
【図３】
0003151067.tif 000005
【図４】
0003151067.tif 000006